(57)【要約】【課題】入力作業の効率を上げること。【解決手段】複数の入力領域を含むアプリケーション画面を表示すると共に、当該複数の入力領域のうち少なくとも１つの入力領域は記憶手段に記憶されたマスタ情報とリンクした入力領域であるアプリケーション画面を表示する表示部１６と、アプリケーション画面に表示された複数の入力領域のうちの１つの入力領域に入力操作を行おうとした際に、当該入力領域がマスタ情報とリンクした入力領域である場合は、表示部１６にスキャンボタンを表示させ、スキャンボタンに対して操作が行われると、スキャナ２０に画像の取込みを指示するＣＰＵ１１を備え、ＣＰＵ１１は、スキャナ２０により取り込まれた画像を表示部１６に表示させる。【選択図】図１
2020119579.tif 000002
【特許請求の範囲】
【請求項１】
書面情報または画像情報を取得する画像情報読取手段と、
項目に対応付けて入力情報を入力するための入力領域を所定の項目毎に表示させる入力領域表示制御手段と、
前記入力領域に入力された入力情報に対応付けて書面情報または画像情報を記憶手段に記憶させておくことが可能な前記項目に対応した入力領域が前記入力情報の入力先として指定された場合に、前記画像情報読取手段による書面情報または画像情報の取得を開始させるための操作キーを表示させる操作キー表示制御手段と、
前記操作キーに対する操作に基づいて前記画像情報読取手段により取得された書面情報または画像情報を、前記入力先として指定された入力領域に対応した項目に対応付けて前記記憶手段に記憶させる記憶制御手段と、
を備えたことを特徴とする情報処理装置。
【請求項２】
前記入力領域が前記入力情報の入力先として指定された場合すでに前記入力領域に対応した項目に対応付けて前記書面情報または前記画像情報が前記記憶手段に記憶されている場合には、当該書面情報または画像情報を所定の表示領域に表示させる画像情報表示制御手段を備えたことを特徴とする請求項１に記載の情報処理装置。
【請求項３】
前記画像情報表示制御手段は、前記記憶手段に複数の前記書面情報または前記画像情報が記憶されている場合、前記記憶手段に記憶されている複数の前記書面情報または前記画像情報を前記所定の表示領域に一覧表示させ、何れか一の前記書面情報または前記画像情報が選択された場合、前記一覧表示を切替えて、当該選択された前記書面情報または前記画像情報を前記所定の表示領域に拡大表示させる請求項２に記載の情報処理装置。
【請求項４】
書面情報または画像情報を取得する画像情報読取手段と、
項目に対応付けて入力情報を入力するための入力領域を所定の項目毎に表示させる入力領域表示制御手段と、
前記入力領域に入力された入力情報に対応付けて書面情報または画像情報を記憶手段に記憶させておくことが可能な前記項目に対応した入力領域が前記入力情報の入力先として指定された場合に、前記画像情報読取手段による書面情報または画像情報の取得を開始させるための操作キーを表示させる操作キー表示制御手段と、
前記操作キーに対する操作に基づいて前記画像情報読取手段により取得された書面情報または画像情報を、前記入力先として指定された入力領域に入力された前記入力情報に対応付けて前記記憶手段に記憶させる記憶制御手段と、
を備えたことを特徴とする情報処理装置。
【請求項５】
前記入力領域が前記入力情報の入力先として指定された場合すでに前記入力領域に入力された前記入力情報に対応付けて前記書面情報または前記画像情報が前記記憶手段に記憶されている場合には、当該書面情報または画像情報を所定の表示領域に表示させる画像情報表示制御手段を備えたことを特徴とする請求項４に記載の情報処理装置。
【請求項６】
前記画像情報表示制御手段は、前記記憶手段に複数の前記書面情報または前記画像情報が記憶されている場合、前記記憶手段に記憶されている複数の前記書面情報または前記画像情報を前記所定の表示領域に一覧表示させ、何れか一の前記書面情報または前記画像情報が選択された場合、前記一覧表示を切替えて、当該選択された前記書面情報または前記画像情報を前記所定の表示領域に拡大表示させる請求項５に記載の情報処理装置。
【請求項７】
コンピュータを、
書面情報または画像情報を取得する画像情報読取手段、
項目に対応付けて入力情報を入力するための入力領域を所定の項目毎に表示させる入力領域表示制御手段、
前記入力領域に入力された入力情報に対応付けて書面情報または画像情報を記憶手段に記憶させておくことが可能な前記項目に対応した入力領域が前記入力情報の入力先として指定された場合に、前記画像情報読取手段による書面情報または画像情報の取得を開始させるための操作キーを表示させる操作キー表示制御手段、
前記操作キーに対する操作に基づいて前記画像情報読取手段により取得された書面情報または画像情報を、前記入力先として指定された入力領域に対応した項目に対応付けて前記記憶手段に記憶させる記憶制御手段、
として機能させるためのプログラム。
【請求項８】
コンピュータを、
書面情報または画像情報を取得する画像情報読取手段、
項目に対応付けて入力情報を入力するための入力領域を所定の項目毎に表示させる入力領域表示制御手段、
前記入力領域に入力された入力情報に対応付けて書面情報または画像情報を記憶手段に記憶させておくことが可能な前記項目に対応した入力領域が前記入力情報の入力先として指定された場合に、前記画像情報読取手段による書面情報または画像情報の取得を開始させるための操作キーを表示させる操作キー表示制御手段、
前記操作キーに対する操作に基づいて前記画像情報読取手段により取得された書面情報または画像情報を、前記入力先として指定された入力領域に入力された前記入力情報に対応付けて前記記憶手段に記憶させる記憶制御手段、
として機能させるためのプログラム。
【発明の詳細な説明】
【技術分野】
【０００１】
本発明は、情報処理装置及びプログラムに関する。
【背景技術】
【０００２】
近年、得意先や商品等のデータの管理や、納品書や伝票の発行などの業務作業の効率化を図るため、これらの業務作業を行う装置が普及している（例えば、特許文献１参照）。
【先行技術文献】
【特許文献】
【０００３】
【特許文献１】特開平０９−１０２０００号公報
【発明の概要】
【発明が解決しようとする課題】
【０００４】
しかしながら、このような装置を用いて入力作業を行う場合、帳票、名刺、取引先からの連絡文書などの入力の補助或いは参考となる書類が存在すると、必要な度に該当書類を探し、その書類を参照しながら入力をしなければならず、作業効率が低下していた。また、書類の保管に関しても、保管作業や保管スペースが必要であり、作業に手間が掛かるものであった。
【０００５】
本発明の課題は、入力作業の効率を上げることである。
【課題を解決するための手段】
【０００６】
上記課題を解決するため、本発明に係る第１の態様の情報処理装置は、書面情報または画像情報を取得する画像情報読取手段と、項目に対応付けて入力情報を入力するための入力領域を所定の項目毎に表示させる入力領域表示制御手段と、前記入力領域に入力された入力情報に対応付けて書面情報または画像情報を記憶手段に記憶させておくことが可能な前記項目に対応した入力領域が前記入力情報の入力先として指定された場合に、前記画像情報読取手段による書面情報または画像情報の取得を開始させるための操作キーを表示させる操作キー表示制御手段と、前記操作キーに対する操作に基づいて前記画像情報読取手段により取得された書面情報または画像情報を、前記入力先として指定された入力領域に対応した項目に対応付けて前記記憶手段に記憶させる記憶制御手段と、を備えたことを特徴とする。
また、本発明に係る第２の態様の情報処理装置は、書面情報または画像情報を取得する画像情報読取手段と、項目に対応付けて入力情報を入力するための入力領域を所定の項目毎に表示させる入力領域表示制御手段と、前記入力領域に入力された入力情報に対応付けて書面情報または画像情報を記憶手段に記憶させておくことが可能な前記項目に対応した入力領域が前記入力情報の入力先として指定された場合に、前記画像情報読取手段による書面情報または画像情報の取得を開始させるための操作キーを表示させる操作キー表示制御手段と、前記操作キーに対する操作に基づいて前記画像情報読取手段により取得された書面情報または画像情報を、前記入力先として指定された入力領域に入力された前記入力情報に対応付けて前記記憶手段に記憶させる記憶制御手段と、を備えたことを特徴とする。
また、本発明に係る第１の態様のプログラムは、コンピュータを、書面情報または画像情報を取得する画像情報読取手段、項目に対応付けて入力情報を入力するための入力領域を所定の項目毎に表示させる入力領域表示制御手段、前記入力領域に入力された入力情報に対応付けて書面情報または画像情報を記憶手段に記憶させておくことが可能な前記項目に対応した入力領域が前記入力情報の入力先として指定された場合に、前記画像情報読取手段による書面情報または画像情報の取得を開始させるための操作キーを表示させる操作キー表示制御手段、前記操作キーに対する操作に基づいて前記画像情報読取手段により取得された書面情報または画像情報を、前記入力先として指定された入力領域に対応した項目に対応付けて前記記憶手段に記憶させる記憶制御手段、として機能させることを特徴とする。
また、本発明に係る第２の態様のプログラムは、コンピュータを、書面情報または画像情報を取得する画像情報読取手段、項目に対応付けて入力情報を入力するための入力領域を所定の項目毎に表示させる入力領域表示制御手段、前記入力領域に入力された入力情報に対応付けて書面情報または画像情報を記憶手段に記憶させておくことが可能な前記項目に対応した入力領域が前記入力情報の入力先として指定された場合に、前記画像情報読取手段による書面情報または画像情報の取得を開始させるための操作キーを表示させる操作キー表示制御手段、前記操作キーに対する操作に基づいて前記画像情報読取手段により取得された書面情報または画像情報を、前記入力先として指定された入力領域に入力された前記入力情報に対応付けて前記記憶手段に記憶させる記憶制御手段、として機能させることを特徴とする。
【発明の効果】
【０００７】
本発明によれば、入力作業の効率を上げることができる。
【図面の簡単な説明】
【０００８】
【図１】本実施形態における情報処理システムの構成を示す図である。
【図２】画像がマスタコードと関連付けされた状態を説明するための図である。
【図３】メッセージ送信処理を示すフローチャートである。
【図４】表示部にアプリケーション画面及びサポートパネルが表示された状態の一例を示す図である。
【図５】サポートパネルの表示制御処理を示すフローチャートである。
【図６】サポートパネルに、スキャンボタン及びマスタ関連画像ボタンが表示された状態の一例を示す図である。
【図７】関連画像表示処理を示すフローチャートである。
【図８】関連画像表示処理に伴いサポートパネルに表示される画面の一例を示す図である。
【図９】スキャン処理を示すフローチャートである。
【図１０】スキャン処理に伴い表示部に表示される画面の一例を示す図である。
【図１１】付箋表示処理を示すフローチャートである。
【図１２】付箋追加処理の流れを説明するための図である。
【図１３】付箋表示処理の流れを説明するための図である。
【発明を実施するための形態】
【０００９】
以下、図面を参照して本発明に係る情報処理装置の実施の形態について説明する。なお、本発明は、図示例に限定されるものではない。
【００１０】
［情報処理システムの構成］
図１は、情報処理システム１００の構成を示す図である。
情報処理システム１００は、情報処理装置１０と、画像情報読取手段としてのスキャナ２０と、を備えて構成されている。
【００１１】
情報処理装置１０は、一般的なＰＣ（Personal Computer）により構成され、ユーザが業務アプリケーションを用いて帳票等の書類に記載された業務データを登録（入力）するとデータベース化してこれを保存し、管理している。
スキャナ２０は、帳票等の書類や各種の写真等を読み取って得たテキストデータやＰＤＦデータ等の画像データ（書面情報または画像情報）を取得する。スキャナ２０は、専用の接続線により情報処理装置１０と接続されており、この接続線を介して、取得した画像データを情報処理装置１０に送信する。
なお、情報処理装置１０と、スキャナ２０は、一体の装置として構成されていてもよい。
【００１２】
次に、情報処理装置１０の機能的構成について詳細に説明する。
情報処理装置１０は、入力領域表示制御手段、操作キー表示制御手段、記憶制御手段、画像情報表示制御手段、第１表示制御手段、及び第２表示制御手段としてのＣＰＵ（Central Processing Unit）１１と、ＲＡＭ（Random Access Memory）１２と、ＲＯＭ（Read Only Memory）１３と、記憶手段としての記憶部１４と、入力部１５と、表示部１６と、通信部１７と、を備え、各部はバス１８を介して接続されている。
【００１３】
ＣＰＵ１１は、情報処理装置１０の各部の処理動作を統括的に制御する。具体的には、ＣＰＵ１１は、ＲＯＭ１３に記憶されている各種処理プログラムを読み出してＲＡＭ１２に展開し、当該プログラムとの協働により各種処理を行う。
【００１４】
具体的に、ＣＰＵ１１は、スキャナ２０に帳票等の書類を読み取らせて画像データを取得させ、取得させた画像データを記憶部１４に記憶させて管理する。
また、ＣＰＵ１１は、業務アプリケーションを起動させ、表示部１６にアプリケーション画面Ｄ１及びサポートパネルＤ２（何れも詳細は後述：図４参照）を表示させる。
また、ＣＰＵ１１は、アプリケーション画面Ｄ１に対するユーザの入力作業に合わせて、管理している画像データなどを、サポートパネルＤ２に表示させる。
【００１５】
ＲＡＭ１２は、揮発性のメモリである。ＲＡＭ１２には、実行される各種プログラムやこれら各種プログラムに係るデータ等が格納される。
【００１６】
ＲＯＭ１３は、各種プログラム及び各種データを記憶する読み出し専用の半導体メモリである。ＲＯＭ１３には、メッセージ送信プログラム１３１、関連画像表示制御プログラム１３２、付箋表示制御プログラム１３３等が記憶されている。
【００１７】
記憶部１４は、ＨＤＤ（Hard Disk Drive）や不揮発性メモリ等により構成され、情報を読み出し及び書き込み可能に記憶する。具体的に、記憶部１４には、商品マスタデータベース１４１、得意先マスタデータベース１４２、仕入先マスタデータベース１４３、付箋情報データベース１４４、商品画像データベース１４５、得意先画像データベース１４６、仕入先画像データベース１４７、付箋画像データベース１４８等が記憶されている。
【００１８】
商品マスタデータベース１４１には、商品コード、商品の名称、商品の単価等の商品を特定する商品マスタ情報が、商品ごとに対応づけられて格納されている。
また、得意先マスタデータベース１４２には、得意先コード、得意先の名称、得意先の住所、得意先の業務内容等の得意先を特定する得意先マスタ情報が、得意先ごとに対応付けられて格納されている。
また、仕入先マスタデータベース１４３には、仕入先コード、仕入先の名称、仕入先の住所、仕入先の業務内容等の仕入先を特定する仕入先マスタ情報が、仕入先ごとに対応付けられて格納されている。
また、付箋情報データベース１４４には、付箋コード、日付、担当、色、本文等の付箋情報の内容が、付箋情報ごとに対応付けられて格納されている。
【００１９】
また、商品画像データベース１４５には、商品コードが付帯された商品に関連する画像（商品自体の画像、商品説明文の画像等の商品画像）が格納されている。
また、得意先画像データベース１４６には、得意先コードが付帯された得意先に関連する画像（得意先画像）が格納されている。
また、仕入先画像データベース１４７には、仕入先コードが付帯された仕入先に関連する画像（仕入先画像）が格納されている。
また、付箋画像データベース１４８には、付箋コードが付帯された付箋に関連する画像（付箋画像）が格納されている。
【００２０】
商品画像、得意先画像、仕入先画像は、スキャナ２０により帳票等の書類を読み取って得られた画像データである。また、付箋画像は、スキャナ２０によりメモ等の用紙を読み取って得られた画像データである。
各画像は、スキャナ２０により読み取られた際にコード（商品コード、得意先コード、仕入先コード、又は付箋コード）が付帯されてマスタ情報と関連付けられ、それぞれ対応するデータベースに格納される。
【００２１】
図２は、商品画像と商品コードを関連付けされた状態を説明するための図である。
商品マスタデータベース１４１には、例えば、商品コード「０００１」で名称「電子辞書Ａ」の商品と、商品コード「０００２」で名称「電波時計Ｂ」の商品が記憶されている。
この状態において、「電子辞書Ａの商品画像」や「電子辞書Ａの商品説明画像」がスキャナ２０により取得された場合、これらは商品コード「０００１」が付帯され、商品画像データベース１４５に格納される。
また、「電波時計Ｂの商品画像」がスキャナ２０により取得された場合、商品コード「０００２」が付帯され、商品画像データベース１４５に格納される。
【００２２】
なお、上記した、商品マスタデータベース１４１、得意先マスタデータベース１４２、仕入先マスタデータベース１４３、付箋情報データベース１４４、商品画像データベース１４５、得意先画像データベース１４６、仕入先画像データベース１４７、付箋画像データベース１４８は、情報処理装置１０の外部に設けられた記憶装置に記憶される構成であっても良い。
【００２３】
入力部１５は、カーソルキー、文字入力キー、数字入力キー、各種機能キー等を備えたキーボードと、マウス等のポインティングデバイスと、を含む構成である。入力部１５は、ユーザによるキーボードに対するキー操作やマウス操作により入力された操作信号をＣＰＵ１１に出力する。
【００２４】
表示部１６は、ＬＣＤ（Liquid Crystal Display）、ＥＬ（Electro-Luminescent）ディスプレイ等で構成され、ＣＰＵ１１からの表示制御信号に従って画面表示を行う。
例えば、表示部１６には、アプリケーション画面Ｄ１やサポートパネルＤ２などが表示される。
【００２５】
通信部１７は、ネットワークインターフェース等により構成され、通信ネットワークを介して接続された外部機器との間でデータの送受信を行う。
【００２６】
［情報処理システムの動作］
次に、情報処理システム１００の動作について説明する。
本実施の形態における情報処理システム１００は、業務アプリケーションを用いて帳票等の書類に記載された業務データを登録する際の、ユーザの入力作業を支援するものである。
情報処理システム１００は、ユーザが、アプリケーション画面Ｄ１に対して入力作業を行う際、ユーザの指示に応じてスキャナ２０にて画像データを取得することができる。
また、情報処理システム１００は、スキャナ２０にて取得した画像データを情報処理装置１０にて管理し、ユーザが、アプリケーション画面Ｄ１に対して入力作業を行う際、入力項目に応じて取得された画像データの画像をサポートパネルＤ２に表示させることができる。
以下、情報処理システム１００におけるこれらの処理の具体的な制御について説明する。
【００２７】
（メッセージ送信処理）
図３は、アプリケーション画面Ｄ１に対するユーザ操作に応じて実行されるメッセージ送信処理を示すフローチャートである。かかる処理は、ＣＰＵ１１とＲＯＭ１３に記憶されているメッセージ送信プログラム１３１との協働によるソフトウェア処理によって実現される。
【００２８】
この処理の前提として、スキャナ２０に読み込み対象となる書類がセットされている。
また、業務アプリケーションが起動され、表示部１６上に、アプリケーション画面Ｄ１及びサポートパネルＤ２が表示される。
図４は、表示部１６に、アプリケーション画面Ｄ１及びサポートパネルＤ２が表示された状態の一例を示す図である。
【００２９】
アプリケーション画面Ｄ１は、業務データの登録（入力）作業を行うための画面である。
図４の例では、アプリケーション画面Ｄ１として、売上伝票入力画面が表示されている。この売上伝票入力画面には、得意先コード、得意先名、・・・といった得意先に関する項目を入力する入力エリアＡＲ１、商品コード、商品名、数量、・・・といった商品に関する項目を入力する入力エリアＡＲ２〜ＡＲ８が表示されている。また、その他、伝票番号、伝票日付、出荷予定日、・・・といった項目ごとにデータを入力する入力エリアが表示されている。入力エリアＡＲ１は、得意先マスタデータベース１４２とリンクしている。また、入力エリアＡＲ２〜ＡＲ８は、商品マスタデータベース１４１とリンクしている。
【００３０】
サポートパネルＤ２は、アプリケーション画面Ｄ１への入力作業を補助するための画面であり、アプリケーション画面Ｄ１と同時に表示部１６上に並んで表示される。
サポートパネルＤ２は、例えば、お知らせボタン領域Ｄ２１と、付箋表示ボタン領域Ｄ２２と、各種ボタン表示領域Ｄ２３と、を有して構成される。
各領域Ｄ２１〜Ｄ２３に表示される事項は、アプリケーション画面Ｄ１に対するユーザ操作と連動して変化するようになっている。
【００３１】
図３に戻って、先ず、ユーザの操作によりアプリケーション画面Ｄ１上の何れかの入力項目（入力領域）にカーソルが移動されると（ステップＳ１０１）、ＣＰＵ１１は、その入力項目は、マスタコード（商品コード、得意先コード、又は仕入先コード）に関連する入力項目であるか否かを判断する（ステップＳ１０２）。即ち、その入力項目がマスタコードに関連するいずれかのデータを入力するための入力項目であるか否かを判断する。
【００３２】
そして、カーソルが移動された入力項目がマスタコードに関連する入力項目でない場合（ステップＳ１０２：ＮＯ）、ＣＰＵ１１は、後述のステップＳ１０５に移行する。
一方、カーソルが移動された入力項目がマスタコードに関連する入力項目である場合（ステップＳ１０２：ＹＥＳ）、ＣＰＵ１１は、マスタ種類（商品、得意先、又は仕入先）とマスタコード（商品コード、得意先コード、又は仕入先コード）を送信情報としてセットすると共に、連携フラグをＯＮとする（ステップＳ１０３）。
この場合、連携フラグとは、サポートパネルＤ２と連動する入力項目であることを示すフラグである。
【００３３】
次いで、ＣＰＵ１１は、上記ステップＳ１０３でセットした送信情報と共に、サポートパネルＤ２に「スキャンボタン」Ｂ１及び「マスタ関連画像ボタン」Ｂ２（図６参照）を表示させるための表示依頼メッセージを出力する（ステップＳ１０４）。これにより、サポートパネルＤ２には、図６に示すように「スキャンボタン」Ｂ１及び「マスタ関連画像ボタン」Ｂ２が表示される。
【００３４】
次いで、ユーザの操作によりアプリケーション画面Ｄ１上の入力項目に入力が行われる（ステップＳ１０５）と、ＣＰＵ１１は、ユーザの操作により業務アプリケーションを終了する操作が行われたか否かを判断する（ステップＳ１０６）。
【００３５】
そして、業務アプリケーションを終了する操作が行われた場合（ステップＳ１０６：ＹＥＳ）、ＣＰＵ１１は、本処理を終了する。
一方、業務アプリケーションを終了する操作が行われない場合（ステップＳ１０６：ＮＯ）、ＣＰＵ１１は、ユーザ操作によりアプリケーション画面Ｄ１上の次の入力項目にカーソルが移動されたか否かを判断する（ステップＳ１０７）。
【００３６】
そして、次の入力項目にカーソルが移動されない場合（ステップＳ１０７：ＮＯ）、ＣＰＵ１１は、上記ステップＳ１０５に移動して以降の処理を繰り返す。
一方、次の入力項目にカーソルが移動された場合（ステップＳ１０７：ＹＥＳ）、ＣＰＵ１１は、移動前の入力項目に関する連携フラグがＯＮであったか否かを判断する（ステップＳ１０８）。
【００３７】
そして、連携フラグがＯＮでない場合（ステップＳ１０８：ＮＯ）、ＣＰＵ１１は、上記ステップＳ１０１に移行して、以降の処理を繰り返す。
一方、連携フラグがＯＮの場合（ステップＳ１０８：ＹＥＳ）、ＣＰＵ１１は、移動前の入力項目においてセットされていた送信情報（マスタ情報及びマスタコード）と共に、サポートパネルＤ２に「スキャンボタン」Ｂ１及び「マスタ関連画像ボタン」Ｂ２を削除させる削除依頼メッセージを出力する（ステップＳ１０９）。これにより、サポートパネルＤ２に表示されていた「スキャンボタン」Ｂ１及び「マスタ関連画像ボタン」Ｂ２が削除される。
【００３８】
以上のメッセージ送信処理により、ユーザ操作によりアプリケーション画面Ｄ１上に表示されている複数の入力項目（入力領域）のうちマスタコードに関連する入力項目（入力領域）にカーソルが移動された際に、サポートパネルＤ２に、カーソルの位置する入力項目と関連した「マスタ関連画像ボタン」Ｂ２と「スキャンボタン」Ｂ１を表示させるためのメッセージを出力し、サポートパネルＤ２には「スキャンボタン」Ｂ１及び「マスタ関連画像ボタン」Ｂ２が表示されると共に、マスタコードに関連する入力項目からカーソルが離れた場合に、サポートパネルＤ２に表示させていた「マスタ関連画像ボタン」Ｂ２及び「スキャンボタン」Ｂ１を削除するためのメッセージを出力し、サポートパネルＤ２に表示されていた「スキャンボタン」Ｂ１及び「マスタ関連画像ボタン」Ｂ２が削除されることとなる。
【００３９】
（関連画像の表示制御処理）
図５は、図３に示したメッセージ送信処理により出力されたメッセージに応じて実行されるサポートパネルＤ２の表示制御処理を示すフローチャートである。かかる処理は、ＣＰＵ１１とＲＯＭ１３に記憶されている関連画像表示制御プログラム１３２との協働によるソフトウェア処理によって実現される。
【００４０】
先ず、ＣＰＵ１１は、上記ステップＳ１０４又はステップＳ１０９においてメッセージを出力したか否かを判断する（ステップＳ２０１）。
そして、メッセージを出力していない場合（ステップＳ２０１：ＮＯ）、ＣＰＵ１１は、後述のステップＳ２０７に移行する。
一方、メッセージを出力した場合（ステップＳ２０１：ＹＥＳ）、ＣＰＵ１１は、メッセージの種類が表示依頼か否かを判断する（ステップＳ２０２）。
【００４１】
一方、メッセージの種類が表示依頼であった場合（ステップＳ２０２：ＹＥＳ）、ＣＰＵ１１は、サポートパネルＤ２に「スキャンボタン」Ｂ１（画像取込指示部、図６参照）を表示させる（ステップＳ２０３）。
【００４２】
次いで、ＣＰＵ１１は、送信情報に含まれる「マスタ種類」「マスタコード」に基づいて、該当する画像データの一覧を取得する（ステップＳ２０４）。即ち、カーソルが移動された入力項目（入力領域）に関連する「マスタ種類」「マスタコード」に該当する画像データの一覧が取得される。
【００４３】
次いで、ＣＰＵ１１は、取得した画像データの件数が「０」か否かを判断する（ステップＳ２０５）。
【００４４】
そして、取得した画像データの件数が「０」の場合（ステップＳ２０５：ＹＥＳ）、ＣＰＵ１１は、後述のステップＳ２０９に移行する。
一方、取得した画像データの件数が「０」でない場合（ステップＳ２０５：ＮＯ）、ＣＰＵ１１は、サポートパネルＤ２に「マスタ関連画像ボタン」Ｂ２（関連画像表示指示部、図６参照）を表示し、カーソルが移動された入力項目（入力領域）に関連づけて記録された関連画像があることをユーザに知らせる（ステップＳ２０６）。
【００４５】
ここで、図６に、表示部１６のサポートパネルＤ２に、「スキャンボタン」Ｂ１及び「マスタ関連画像ボタン」Ｂ２が表示された状態の一例を示す。
「スキャンボタン」Ｂ１は、サポートパネルＤ２の各種ボタン表示領域Ｄ２３に表示される。
「マスタ関連画像ボタン」Ｂ２は、サポートパネルＤ２のお知らせボタン領域Ｄ２１に表示される。「マスタ関連画像ボタン」Ｂ２には、既に記憶されている関連画像の画像数を示す数字（図６では「５」）が印字されている。
【００４６】
図５に戻って、ＣＰＵ１１は、ユーザ操作により「マスタ関連画像ボタン」Ｂ２が選択されたか否かを判断し（ステップＳ２０７）、選択されない場合（ステップＳ２０７：ＮＯ）、後述のステップＳ２０９に移行する。
一方、「マスタ関連画像ボタン」Ｂ２が選択された場合（ステップＳ２０７：ＹＥＳ）、ＣＰＵ１１は、関連画像表示処理（図７参照）を実行する（ステップＳ２０８）。
【００４７】
次いで、ＣＰＵ１１は、ユーザ操作により「スキャンボタン」Ｂ１が選択されたか否かを判断し（ステップＳ２０９）、選択されない場合（ステップＳ２０９：ＮＯ）、後述のステップＳ２１１に移行する。
一方、「スキャンボタン」Ｂ１が選択された場合（ステップＳ２０９：ＹＥＳ）、ＣＰＵ１１は、スキャン処理（図９参照）を実行する（ステップＳ２１０）。
【００４８】
次いで、ＣＰＵ１１は、ユーザの操作により業務アプリケーションを終了する操作が行われたか否かを判断する（ステップＳ２１１）。
【００４９】
そして、業務アプリケーションを終了する操作が行われた場合（ステップＳ２１１：ＹＥＳ）、ＣＰＵ１１は、本処理を終了する。
一方、業務アプリケーションを終了する操作が行われない場合（ステップＳ２１１：ＮＯ）、ＣＰＵ１１は、上記ステップＳ２０１に戻って、以降の処理を繰り返す。
【００５０】
また、上記ステップＳ２０２において、メッセージの種類が表示依頼でなかった、即ち、削除依頼であった場合（ステップＳ２０２：ＮＯ）、ＣＰＵ１１は、サポートパネルＤ２に表示されている「スキャンボタン」Ｂ１及び「マスタ関連画像ボタン」Ｂ２を削除する（ステップＳ２１２）。
【００５１】
図７は、上記ステップＳ２０８の関連画像表示処理を示すフローチャートである。また、図８（ａ）、図８（ｂ）は、関連画像表示処理に伴い表示部１６のサポートパネルＤ２に表示される画面の一例を示す図である。
【００５２】
「マスタ関連画像ボタン」Ｂ２が選択されると（Ｓ２０７：ＹＥＳ、ＳＴＡＲＴ）、ＣＰＵ１１は、上記ステップＳ２０４にて取得した全ての画像データを、図８（ａ）に示すように、一覧形式で表示する（Ｓ３０１）。
【００５３】
図８（ａ）に示すように、一覧形式の表示の場合、表示部１６のサポートパネルＤ２の全体が画像表示領域となり、取得された順番が早いものから順に、連続して表示される。この際、画面側部にスクロールバーＳＢが表示され、画像を上下に動かすことが可能となる。
【００５４】
なお、上記ステップＳ２０４にて取得した画像データが一つの場合、一覧形式でなく、後述の図８（ｂ）に示すページ表示形式にて、最初から拡大表示させる構成とすることができる。
【００５５】
図７に戻って、ＣＰＵ１１は、ユーザにより処理の終了が選択されたか否かを判断し（ステップＳ３０２）、終了が選択された場合（ステップＳ３０２：ＹＥＳ）、本処理を終了する。
一方、終了が選択されない場合（ステップＳ３０２：ＮＯ）、一覧画像の中から画像が選択されたか否かを判断する（ステップＳ３０３）。
【００５６】
そして、画像が選択されない場合（ステップＳ３０３：ＮＯ）、上記ステップＳ３０２に戻って以降の処理を繰り返す。
一方、画像が選択された場合（ステップＳ３０３：ＹＥＳ）、ＣＰＵ１１は、選択された画像を、図８（ｂ）に示すように、ページ表示形式で拡大表示させる（ステップＳ３０４）。
【００５７】
図８（ｂ）に示すように、ページ表示形式の表示の場合、表示部１６のサポートパネルＤ２の全体が画像表示領域となり、選択された画像が画像表示領域全体に亘って表示される。この際、画面下部に各種の画像調整ボタン（例えば、拡大ボタン、縮小ボタン、横幅合わせボタン、「戻るボタン」Ｂ３等）が表示され、画像を調整することが可能となる。
【００５８】
次いで、ＣＰＵ１１は、「戻るボタン」Ｂ３が選択されたか否かを判断し（ステップＳ３０５）、「戻るボタン」Ｂ３が選択された場合（ステップＳ３０５：ＹＥＳ）、上記ステップＳ３０１に戻って以降の処理を繰り返す。
一方、「戻るボタン」Ｂ３が選択されない場合（ステップＳ３０５：ＮＯ）、ＣＰＵ１１は、その他のボタンが選択されたか否かを判断する（ステップＳ３０６）。
【００５９】
そして、その他のボタンが選択されない場合（ステップＳ３０６：ＮＯ）、上記ステップＳ３０４に戻って以降の処理を繰り返す。
一方、その他のボタンが選択された場合（ステップＳ３０６：ＹＥＳ）、ＣＰＵ１１は、選択されたボタンの内容に応じた画像調整処理を実行し（ステップＳ３０７）、その後、上記ステップＳ３０５に戻って以降の処理を繰り返す。
【００６０】
図９は、上記ステップＳ２１０のスキャン処理を示すフローチャートである。また、図１０（ａ）〜１０（ｃ）は、スキャン処理に伴い表示部１６にポップアップ表示される画面の一例を示す図である。
【００６１】
「スキャンボタン」Ｂ１が選択されると（Ｓ２０９：ＹＥＳ、ＳＴＡＲＴ）、ＣＰＵ１１は、図３のステップＳ１０３でセットされ、ステップＳ１０４で出力された送信情報に含まれるマスタ種類及びマスタコードを取得する（Ｓ４０１）。
【００６２】
次いで、ＣＰＵ１１は、図１０（ａ）に示すように、表示部１６にスキャン実行の確認画面Ｇ１を表示させる（ステップＳ４０２）。
確認画面Ｇ１には、スキャンの実行を確定するための「実行ボタン」Ｂ４と、スキャンの実行を中止するための「取消ボタン」Ｂ５が表示されている。
【００６３】
次いで、ＣＰＵ１１は、ユーザにより「実行ボタン」Ｂ４が選択されたか否かを判断し（ステップＳ４０３）、「実行ボタン」Ｂ４が選択されない場合（ステップＳ４０３：ＮＯ）、本処理を終了する。
一方、「実行ボタン」Ｂ４が選択された場合（ステップＳ４０３：ＹＥＳ）、ＣＰＵ１１は、スキャナ２０に帳票等の書類を読み取らせ、スキャナ２０により読み取られた画像を取り込む（ステップＳ４０４）。
【００６４】
次いで、ＣＰＵ１１は、図１０（ｂ）に示す画像編集画面Ｇ２において、ユーザ操作に応じて、取り込んだ画像に対する画像編集処理を実行し（ステップＳ４０５）、終了後、図１０（ｃ）に示す画像登録画面Ｇ３を表示させる（ステップＳ４０６）。
画像登録画面Ｇ３には、ファイル名の入力エリアＡＲ９と、画像登録の実行を確定するための「確定ボタン」Ｂ６と、画像登録の実行を取り消すための「取消ボタン」Ｂ７が表示されている。
【００６５】
次いで、ユーザによりファイル名の入力エリアＡＲ９に画像名称の入力がなされると（ステップＳ４０７）、ＣＰＵ１１は、「取消ボタン」Ｂ７が選択されたか否かを判断し（ステップＳ４０８）、「取消ボタン」Ｂ７が選択された場合（ステップＳ４０８：ＹＥＳ）、本処理を終了する。
一方、「取消ボタン」Ｂ７が選択されない場合（ステップＳ４０８：ＮＯ）、ＣＰＵ１１は、「確定ボタン」Ｂ６が選択されたか否かを判断する（ステップＳ４０９）。
【００６６】
そして、「確定ボタン」Ｂ６が選択されない場合（ステップＳ４０９：ＮＯ）、ＣＰＵ１１は、上記ステップＳ４０８に戻って以降の処理を繰り返す。
一方、「確定ボタン」Ｂ６が選択された場合（ステップＳ４０９：ＹＥＳ）、ＣＰＵ１１は、画像データのファイルを作成し、作成した画像データのファイルをカーソルの位置する入力項目に対応づけて記録し（ステップＳ４１０）、本処理を終了する。
【００６７】
以上のサポートパネルＤ２の関連表示制御処理により、ユーザ操作によりアプリケーション画面Ｄ１上の所定の入力項目（マスタ情報とリンクした入力領域）にカーソルが移動された際に、サポートパネルＤ２に、カーソルの位置する入力項目と関連した「マスタ関連画像ボタン」Ｂ２及び「スキャンボタン」Ｂ１が表示されると共に、その所定の入力項目からカーソルが離れた場合に、サポートパネルＤ２に表示させていた「スキャンボタン」Ｂ１及び「マスタ関連画像ボタン」Ｂ２が削除されることとなる。
また、表示された「スキャンボタン」Ｂ１を操作することで、スキャナ２０により画像と取得し、取得した画像をカーソルの位置する入力項目に対応づけて記録することができる。また、表示された「マスタ関連画像ボタン」Ｂ２を操作することで、取得して保管されていたマスタ関連画像を一覧表示または拡大表示できる。
このため、スキャナ２０により取得した画像データから必要な画像データを選択し、これをサポートパネルＤ２に表示させた状態として、アプリケーション画面Ｄ１上の入力項目に入力を行うことが可能となる。
【００６８】
なお、表示された「スキャンボタン」Ｂ１を操作することで、スキャナ２０により画像と取得し、取得した画像をカーソルの位置する入力項目に対応づけて記録する構成について説明したが、入力項目に入力された入力情報に対応付けて記憶させる構成としても良い。
【００６９】
また、本実施の形態における情報処理システム１００は、メモ等の所定外の事項を付箋として管理し、ユーザが、任意のタイミングで、その付箋の内容をサポートパネルＤ２に表示させることができる。
【００７０】
（付箋表示処理）
図１１は、サポートパネルＤ２に対するユーザ操作に応じて実行される付箋表示処理を示すフローチャートである。かかる処理は、ＣＰＵ１１とＲＯＭ１３に記憶されている付箋表示制御プログラム１３３との協働によるソフトウェア処理によって実現される。
【００７１】
先ず、ＣＰＵ１１は、ユーザ操作により、各種ボタン表示領域Ｄ２３の「付箋追加ボタン」Ｂ１０（図４参照）が選択されたか否かを判断し（ステップＳ５０１）、選択されない場合（ステップＳ５０１：ＮＯ）、後述のステップＳ５０３に移行する。
一方、「付箋追加ボタン」Ｂ１０が選択された場合（ステップＳ５０１：ＹＥＳ）、ＣＰＵ１１は、付箋追加処理を実行する（ステップＳ５０２）。
なお、「付箋追加ボタン」Ｂ１０は、サポートパネルＤ２に常時表示されている。
【００７２】
ここで、図１２（ａ）〜図１２（ｅ）は、付箋追加処理の流れを説明するための図である。
図１２（ａ）に示すように、「付箋追加ボタン」Ｂ１０が選択されると、図１２（ｂ）に示すように、サポートパネルＤ２上に、「付箋追加画面」Ｇ１０が表示される。
「付箋追加画面」Ｇ１０には、表題、日付、担当、色、本文等の付箋情報を入力するための入力項目と、「確定ボタン」Ｂ１１、「スキャンボタン」Ｂ１２、「取消ボタン」Ｂ１３が表示されている。
そして、ユーザにより「スキャンボタン」Ｂ１２が操作されると、図１２（ｃ）に示す確認画面Ｇ１１、図１２（ｄ）に示す画像編集画面Ｇ１２、図１２（ｅ）に示す画像登録画面Ｇ１３を経て、付箋画像の取得が可能である。なお、確認画面Ｇ１１、画像編集画面Ｇ１２、及び画像登録画面Ｇ１３の構成は、図９のスキャン処理において説明した確認画面Ｇ１、画像編集画面Ｇ２、及び画像登録画面Ｇ３と同一であって、図９のスキャン処理と同一の処理により画像の取得が行われるため、ここでは詳細な説明を省略する。
【００７３】
図１１に戻って、ＣＰＵ１１は、記憶部１４の付箋情報データベース１４４に付箋情報があるか否かを判断し（ステップＳ５０３）、付箋情報がない場合（ステップＳ５０３：ＮＯ）、後述のステップＳ５０７に移行する。
一方、付箋情報がある場合（ステップＳ５０３：ＹＥＳ）、ＣＰＵ１１は、付箋表示ボタン領域Ｄ２２に「付箋表示ボタン」Ｂ２０（付箋情報表示指示部）を表示する（ステップＳ５０４）。
【００７４】
次いで、ＣＰＵ１１は、ユーザ操作により「付箋表示ボタン」Ｂ２０が選択されたか否かを判断し（ステップＳ５０５）、選択されない場合（ステップＳ５０５：ＮＯ）、後述のステップＳ５０７に移行する。
一方、「付箋表示ボタン」Ｂ２０が選択された場合（ステップＳ５０５：ＹＥＳ）、ＣＰＵ１１は、付箋表示処理を実行する（ステップＳ５０６）。
【００７５】
ここで、図１３（ａ）〜図１３（ｃ）は、付箋表示処理の流れを説明するための図である。
図１３（ａ）に示すように、付箋表示ボタン領域Ｄ２２に表示された「付箋表示ボタン」Ｂ２０が選択されると、図１３（ｂ）に示すように、サポートパネルＤ２上に、「付箋情報表示画面」Ｇ２０が表示される。
「付箋情報表示画面」Ｇ２０には、表題、日付、担当、色、本文等の付箋情報と、「閉じるボタン」Ｂ２１、「画像ボタン」Ｂ２２が表示されている。
そして、ユーザにより「画像ボタン」Ｂ２２が操作されると、図１３（ｃ）に示すように、サポートパネルＤ２の全体にわたって付箋画像が表示される。
【００７６】
図１１に戻って、ＣＰＵ１１は、ユーザの操作により業務アプリケーションを終了する操作が行われたか否かを判断する（ステップＳ５０７）。
そして、業務アプリケーションを終了する操作が行われた場合（ステップＳ５０７：ＹＥＳ）、ＣＰＵ１１は、本処理を終了する。
一方、業務アプリケーションを終了する操作が行われない場合（ステップＳ５０７：ＮＯ）、ＣＰＵ１１は、上記ステップＳ５０１に戻って、以降の処理を繰り返す。
【００７７】
以上の付箋表示処理により、スキャナ２０より手書きメモ等の付箋の取込ができ、文字入力せずに付箋を画像として登録できるので、付箋入力時の文字入力の手間を省くことができる。また、付箋の詳細事項（付箋情報及び付箋画像）の表示を行うことができる。
【００７８】
以上のように、本実施形態においては、情報処理装置１０は、画像データを取得するスキャナ２０を備え、ＣＰＵ１１は、項目に対応付けて入力情報を入力するための入力領域を所定の項目毎に表示させ、入力領域に入力された入力情報に対応付けて画像データを記憶部１４に記憶させておくことが可能な項目に対応した入力領域が入力情報の入力先として指定された場合に、スキャナ２０による画像データの取得を開始させるためのスキャンボタンＢ１を表示させ、スキャンボタンＢ１に対する操作に基づいてスキャナ２０により取得された画像データを、入力先として指定された入力領域に対応した項目に対応付けて記憶部１４に記憶させる。
このため、業務アプリケーションを用いて業務データの入力作業を行う際、マスタ情報とリンクした入力領域にフォーカスが当たった場合に、「スキャンボタン」Ｂ１が表示され、マスタ情報とリンクした画像をスキャナ２０より取り込み、記憶部１４に記憶させることができる。
よって、入力作業に伴ってマスタ情報と関連する書類を電子化し、これを保管することが可能となるため、一旦書類を電子化した後は、必要な度に該当書類を探し、その書類を参照しながら入力をしなければならないという事態が発生せず、作業効率を上げることができる。また、書類の保管作業の手間を軽減することができる。
【００７９】
また、本実施形態においては、入力領域が入力情報の入力先として指定された場合すでに入力領域に対応した項目に対応付けて画像データが記憶部１４に記憶されている場合には、ＣＰＵ１１は、当該画像データを所定の表示領域に表示させる。
このため、マスタ情報とリンクした入力領域にフォーカスが当たった場合に、「マスタ関連画像ボタン」Ｂ２が表示される。そして、「マスタ関連画像ボタン」Ｂ２に対して操作が行われると、記憶部１４に記憶されている、マスタ情報に関連付けられた画像を表示部１６に表示させる。
よって、必要時に対象書類を簡単に閲覧（検索）することができる。
【００８０】
また、本実施形態においては、ＣＰＵ１１は、記憶部１４に複数の画像データが記憶されている場合、記憶部１４に記憶されている複数の画像データを所定の表示領域に一覧表示させ、何れか一の画像データが選択された場合、一覧表示を切替えて、当該選択された画像データを所定の表示領域に拡大表示させる。
このため、複数の関連画像から、必要なものを選択して拡大表示させることができる。
【００８１】
また、本実施形態においては、ＣＰＵ１１は、所定のモードの際に項目に対応付けて入力された入力情報を、所定の項目毎にアプリケーション画面Ｄ１に表示させ、表示される入力情報のうち所定のモードの際に入力情報を入力するための入力領域が指定されたことに基づいてスキャナ２０により取得された画像データが対応付けて記憶部１４に記憶された入力情報が指定された場合に、該指定された入力情報に対応付けて記憶部１４に記憶されている画像データをアプリケーション画面Ｄ１とは区分けされたサポートパネルＤ２に表示させる。
よって、既に記憶されている画像データを、必要時に簡単に閲覧することができる。
【００８２】
以上、本発明のいくつかの実施形態を説明したが、本発明の範囲は、上述の実施の形態に限定するものではなく、特許請求の範囲に記載された発明の範囲をその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００８３】
〔付記〕
＜請求項１＞
書面情報または画像情報を取得する画像情報読取手段と、
項目に対応付けて入力情報を入力するための入力領域を所定の項目毎に表示させる入力領域表示制御手段と、
前記入力領域に入力された入力情報に対応付けて書面情報または画像情報を記憶手段に記憶させておくことが可能な前記項目に対応した入力領域が前記入力情報の入力先として指定された場合に、前記画像読取取得手段による書面情報または画像情報の取得を開始させるための操作キーを表示させる操作キー表示制御手段と、
前記操作キーに対する操作に基づいて前記画像読取取得手段により取得された書面情報または画像情報を、前記入力先として指定された入力領域に対応した項目に対応付けて前記記憶手段に記憶させる記憶制御手段と、
を備えたことを特徴とする情報処理装置。
＜請求項２＞
前記入力領域が前記入力情報の入力先として指定された場合すでに前記入力領域に対応した項目に対応付けて前記書面情報または前記画像情報が前記記憶手段に記憶されている場合には、当該書面情報または画像情報を所定の表示領域に表示させる画像情報表示制御手段を備えたことを特徴とする請求項１に記載の情報処理装置。
＜請求項３＞
前記画像情報表示制御手段は、前記記憶手段に複数の前記書面情報または前記画像情報が記憶されている場合、前記記憶手段に記憶されている複数の前記書面情報または前記画像情報を前記所定の表示領域に一覧表示させ、何れか一の前記書面情報または前記画像情報が選択された場合、前記一覧表示を切替えて、当該選択された前記書面情報または前記画像情報を前記所定の表示領域に拡大表示させる請求項２に記載の情報処理装置。
＜請求項４＞
書面情報または画像情報を取得する画像情報読取手段と、
項目に対応付けて入力情報を入力するための入力領域を所定の項目毎に表示させる入力領域表示制御手段と、
前記入力領域に入力された入力情報に対応付けて書面情報または画像情報を記憶手段に記憶させておくことが可能な前記項目に対応した入力領域が前記入力情報の入力先として指定された場合に、前記画像読取取得手段による書面情報または画像情報の取得を開始させるための操作キーを表示させる操作キー表示制御手段と、
前記操作キーに対する操作に基づいて前記画像読取取得手段により取得された書面情報または画像情報を、前記入力先として指定された入力領域に入力された前記入力情報に対応付けて前記記憶手段に記憶させる記憶制御手段と、
を備えたことを特徴とする情報処理装置。
＜請求項５＞
前記入力領域が前記入力情報の入力先として指定された場合すでに前記入力領域に入力された前記入力情報に対応付けて前記書面情報または前記画像情報が前記記憶手段に記憶されている場合には、当該書面情報または画像情報を所定の表示領域に表示させる画像情報表示制御手段を備えたことを特徴とする請求項４に記載の情報処理装置。
＜請求項６＞
前記画像情報表示制御手段は、前記記憶手段に複数の前記書面情報または前記画像情報が記憶されている場合、前記記憶手段に記憶されている複数の前記書面情報または前記画像情報を前記所定の表示領域に一覧表示させ、何れか一の前記書面情報または前記画像情報が選択された場合、前記一覧表示を切替えて、当該選択された前記書面情報または前記画像情報を前記所定の表示領域に拡大表示させる請求項５に記載の情報処理装置。
＜請求項７＞
所定のモードの際に項目に対応付けて入力された入力情報を、所定の項目毎に所定の表示領域に表示させる第１表示制御手段と、
前記第１表示制御手段により表示される入力情報のうち前記所定のモードの際に前記入力情報を入力するための入力領域が指定されたことに基づいて画像情報読取手段により取得された書面情報または画像情報が対応付けて記憶手段に記憶された入力情報が指定された場合に、該指定された入力情報に対応付けて前記記憶手段に記憶されている書面情報または画像情報を前記所定の表示領域とは区分けされた表示領域に表示させる第２表示制御手段と、
を備えたことを特徴とする情報処理装置。
＜請求項８＞
コンピュータを、
書面情報または画像情報を取得する画像情報読取手段、
項目に対応付けて入力情報を入力するための入力領域を所定の項目毎に表示させる入力領域表示制御手段、
前記入力領域に入力された入力情報に対応付けて書面情報または画像情報を記憶手段に記憶させておくことが可能な前記項目に対応した入力領域が前記入力情報の入力先として指定された場合に、前記画像読取取得手段による書面情報または画像情報の取得を開始させるための操作キーを表示させる操作キー表示制御手段、
前記操作キーに対する操作に基づいて前記画像読取取得手段により取得された書面情報または画像情報を、前記入力先として指定された入力領域に対応した項目に対応付けて前記記憶手段に記憶させる記憶制御手段、
として機能させるためのプログラム。
＜請求項９＞
コンピュータを、
書面情報または画像情報を取得する画像情報読取手段、
項目に対応付けて入力情報を入力するための入力領域を所定の項目毎に表示させる入力領域表示制御手段、
前記入力領域に入力された入力情報に対応付けて書面情報または画像情報を記憶手段に記憶させておくことが可能な前記項目に対応した入力領域が前記入力情報の入力先として指定された場合に、前記画像読取取得手段による書面情報または画像情報の取得を開始させるための操作キーを表示させる操作キー表示制御手段、
前記操作キーに対する操作に基づいて前記画像読取取得手段により取得された書面情報または画像情報を、前記入力先として指定された入力領域に入力された前記入力情報に対応付けて前記記憶手段に記憶させる記憶制御手段、
として機能させるためのプログラム。
＜請求項１０＞
コンピュータを、
所定のモードの際に項目に対応付けて入力された入力情報を、所定の項目毎に所定の表示領域に表示させる第１表示制御手段、
前記第１表示制御手段により表示される入力情報のうち前記所定のモードの際に前記入力情報を入力するための入力領域が指定されたことに基づいて画像情報読取手段により取得された書面情報または画像情報が対応付けて記憶手段に記憶された入力情報が指定された場合に、該指定された入力情報に対応付けて前記記憶手段に記憶されている書面情報または画像情報を前記所定の表示領域とは区分けされた表示領域に表示させる第２表示制御手段、
として機能させるためのプログラム。
【符号の説明】
【００８４】
１０  情報処理装置
１１  ＣＰＵ（入力領域表示制御手段、操作キー表示制御手段、記憶制御手段、画像情報表示制御手段、第１表示制御手段、第２表示制御手段）
１２  ＲＡＭ
１３  ＲＯＭ
１３１  メッセージ送信プログラム
１３２  関連画像表示制御プログラム
１３３  付箋表示制御プログラム
１４  記憶部（記憶手段）
１４１  商品マスタデータベース
１４２  得意先マスタデータベース
１４３  仕入先マスタデータベース
１４４  付箋情報データベース
１４５  商品画像データベース
１４６  得意先画像データベース
１４７  仕入先画像データベース
１４８  付箋画像データベース
１５  入力部
１６  表示部
Ｄ１  アプリケーション画面
Ｄ２  サポートパネル
Ｄ２１  ボタン領域
Ｄ２２  付箋表示ボタン領域
Ｄ２３  各種ボタン表示領域
Ｂ１  スキャンボタン（操作キー）
Ｂ２  マスタ関連画像ボタン
Ｂ２０  付箋表示ボタン
１７  通信部
１８  バス
２０  スキャナ（画像情報読取手段）
１００  情報処理システム
【図１】
2020119579.tif 000003
【図２】
2020119579.tif 000004
【図３】
2020119579.tif 000005
【図４】
2020119579.tif 000006
【図５】
2020119579.tif 000007
【図６】
2020119579.tif 000008
【図７】
2020119579.tif 000009
【図８】
2020119579.tif 000010
【図９】
2020119579.tif 000011
【図１０】
2020119579.tif 000012
【図１１】
2020119579.tif 000013
【図１２】
2020119579.tif 000014
【図１３】
2020119579.tif 000015
【手続補正書】
【提出日】令和2年4月2日(2020.4.2)
【手続補正１】
【補正対象書類名】明細書
【補正対象項目名】０００６
【補正方法】変更
【補正の内容】
【０００６】
上記課題を解決するため、本発明の情報処理装置は、所定の項目に対応付けて入力情報を入力するための入力領域を前記所定の項目毎に表示部に表示させる第１表示制御手段と、前記入力領域が前記入力情報の入力先として指定された場合に、当該入力領域に対応する前記所定の項目に対応付けられた画像データが記憶部に記憶されているか否か判別する判別手段と、前記判別手段によって前記画像データが記憶部に記憶されていると判別された場合に、当該画像データを表示部に表示させるための操作手段を表示部に表示させる第２表示制御手段と、を備えたことを特徴とする。
【手続補正２】
【補正対象書類名】特許請求の範囲
【補正対象項目名】全文
【補正方法】変更
【補正の内容】
【特許請求の範囲】
【請求項１】
所定の項目に対応付けて入力情報を入力するための入力領域を前記所定の項目毎に表示部に表示させる第１表示制御手段と、
前記入力領域が前記入力情報の入力先として指定された場合に、当該入力領域に対応する前記所定の項目に対応付けられた画像データが記憶部に記憶されているか否か判別する判別手段と、
前記判別手段によって前記画像データが記憶部に記憶されていると判別された場合に、当該画像データを表示部に表示させるための操作手段を表示部に表示させる第２表示制御手段と、
を備えたことを特徴とする情報処理装置。
【請求項２】
前記入力領域は、前記表示部における第１表示領域に表示され、
前記操作手段は、前記表示部における前記第１表示領域とは異なる第２表示領域に表示される、
ことを特徴とする請求項１に記載の情報処理装置。
【請求項３】
前記第２表示制御手段は、前記操作手段が操作された際に、前記画像データを前記第２表示領域に表示させる、
ことを特徴とする請求項２に記載の情報処理装置。
【請求項４】
前記第２表示制御手段は、前記記憶部に複数の前記画像データが記憶されている場合、前記記憶部に記憶されている複数の前記画像データを前記第２表示領域に一覧表示させ、何れか一の前記画像データが選択された場合、前記一覧表示を切替えて、当該選択された前記画像データを前記第２表示領域に拡大表示させる、
ことを特徴とする請求項２に記載の情報処理装置。
【請求項５】
前記第２表示制御手段は、前記操作手段を表示させる際に、前記所定の項目に対応付けられて前記記憶部に記憶されている画像データの総数を前記操作手段と対応付けて表示させる、
ことを特徴とする請求項１〜４のいずれか一項に記載の情報処理装置。
【請求項６】
前記第２表示制御手段は、前記操作手段を表示部に表示させる際に、新たな画像データの取得を可能とするスキャナ部を起動するための画像データ読取手段も前記操作手段と一緒に前記第２表示領域に表示させる、
ことを特徴とする請求項２に記載の情報処理装置。
【請求項７】
情報処理装置のコンピュータを、
所定の項目に対応付けて入力情報を入力するための入力領域を前記所定の項目毎に表示部に表示させる第１表示制御手段、
前記入力領域が前記入力情報の入力先として指定された場合に、当該入力領域に対応する前記項目に対応付けられた画像データが記憶部に記憶されているか否か判別する判別手段、
前記判別手段によって前記画像データが記憶部に記憶されていると判別された場合に、当該画像データを表示部に表示させるための操作手段を表示部に表示させる第２表示制御手段、
として機能させるためのプログラム。